(57)【要約】【課題】  弾性波素子、及び弾性波素子の検出能力の向上、動作安定性と、弾性波素子を用いた環境差異検出装置のシステムの軽量化を目的とする。【解決手段】  弾性波素子表面の環境差異を検出する周回経路以外に、弾性波素子基体内部を伝搬するバルク波にて表面に依存しない経路を使用し、弾性波素子基体の温度計るという構成を有するので、装置として弾性波素子以外の温度計の設置が不要になると共に、さらに多重反射を利用しているのでより高精度な環境差異検出装置が提供出来る。【選択図】    図１
2005150784.tif 000002
【特許請求の範囲】
【請求項１】
球表面を有する部分にすだれ状電極を設置し、すだれ状電極に時間的に変化する電場を印加することにより、前記球表面を有する基体内部にすだれ状電極を設けた球表面と対向する球表面との間で多重反射可能なバルク波を励起し、かつ受信可能な、球体の一部を有することを特徴とする弾性波素子。
【請求項２】
弾性表面波が伝搬可能な曲面が連続した少なくとも円環状の曲面の一部を含む表面を有する３次元基体が、すだれ状電極により弾性表面波が励起し、励起された弾性表面波が繰り返し多重周回する経路を持ち、前記経路以外の場所に請求項１に記載のすだれ状電極を設けた球表面と対向する球表面を持つことを特徴とする請求項１記載の弾性波素子。
【請求項３】
弾性表面波が伝搬可能な曲面が連続した少なくとも円環状の曲面の一部を含む表面を有する３次元基体が、すだれ状電極により弾性表面波が励起し、励起された弾性表面波が繰り返し多重周回する経路を持ち、１つのすだれ状電極で弾性表面波とバルク波を励起可能な請求項１に記載のすだれ状電極を設けた球表面と対向する球表面を持つことを特徴とする請求項１記載の弾性波素子。
【請求項４】
弾性表面波が伝搬可能な曲面が連続した少なくとも円環状の曲面の一部を含む表面を有する３次元基体が、すだれ状電極により弾性表面波が励起し、励起された弾性表面波が繰り返し多重周回する経路を持ち、少なくとも１つの平行な平坦部があり、平坦部にすだれ状電極を設置し、時間的に変化する電場を印加することにより、前記圧電材料基体内部をすだれ状電極と平行な反対面との間でバルク波を多重反射させることを特徴とする弾性波素子。
【請求項５】
前記３次元基体の前記表面が球の一部を有することを特徴とする請求項２〜４の何れかに記載の弾性波素子。
【請求項６】
前記弾性波素子の基材が水晶、リチウムトリボレート、ビスマスシリコンオキサイドからなることを特徴とする請求項１〜５の何れかの１に記載の弾性波素子。
【請求項７】
前記弾性波素子の基材がニオブ酸リチウム又はタンタル酸リチウムからかなり、バルク波がＺ軸方向からＸＹ平面に対し７５°までの範囲で励起することを特徴とする請求項１〜５の何れかの１に記載の弾性波素子。
【請求項８】
請求項１〜７のいずれか１項に記載の弾性波素子を用い、すだれ状電極により弾性表面波を励起し伝搬、多重周回させ、すだれ状電極にて弾性表面波からの出力信号を検出し、検出に至までの時間、励起信号を基体内部を伝搬し多重反射するバルク波を保存する遅延素子として使用し、前記表面弾性波信号とバルク波信号との比較を行うことを特徴とする環境差異検出装置。
【請求項９】
請求項１〜７のいずれか１項に記載の弾性波素子を用い、すだれ状電極により弾性表面波を励起し伝搬、多重周回させるとともに、伝搬する前記弾性表面波を受信し受信信号を出力し、前記出力信号より弾性表面波の伝搬する環境を差異を検出する際、素子の温度を基体内部を伝搬し多重反射するバルク波より検出することを特徴とする環境差異検出装置。
【請求項１０】
請求項１〜７のいずれか１項に記載の弾性波素子を複数用いての弾性表面波及びバルク波を励起するすだれ状電極の間隔を開けかつ重複することなく作製し、識別可能な素子群を形成し、各素子における表面弾性波の信号は環境差異を検出しバルク波の信号は温度を検出することを特徴とする複数の弾性波素子を用いたことを特徴とする環境差異検出装置。
【発明の詳細な説明】
【技術分野】
【０００１】
本発明は、弾性表面波および基体内部を多重反射するバルク波より構成された弾性波と前記素子より構成される環境差異検出装置に関するものである。
【背景技術】
【０００２】
弾性表面波（SAW:Surface  Acoustic  Wave）が励起可能であり、励起された弾性表面波を伝搬可能な表面を有する基体と、前記基体の表面に前記弾性表面波を励起し前記表面に沿い前記弾性表面はを伝搬させるとともに前記伝搬する弾性表面波を受信可能なすだれ状電極を備えた弾性表面波素子は従来からよく知られている。
【０００３】
弾性表面波素子は遅延線、発振素子、共振素子、周波数選択素子、化学センサー、バイオセンサー、圧力センサー、或いは、リモートタグ等として使用されている。
【０００４】
特許文献１は、球形状の弾性表面波素子を開示している。この球形状の弾性表面波素子の基体は、弾性表面波が励起可能であり励起された弾性表面波を伝搬させることが可能な球形状の表面を有している。前記球状表面弾性波素子のすだれ状電極は基体の球状表面において円環状に連続している所定の幅を有した帯域配置されていて、前記表面に励起した弾性表面波を前記帯域が連続している方向に沿い伝搬させ繰り返し周回させるように構成されている。
【０００５】
球形状の弾性表面波素子では、基体表面の円環状に連続している弾性表面波伝搬帯域にすだれ状電極により励起された弾性表面波を弾性表面波伝搬帯域内で実質的に減衰することなく上記表面を繰り返し周回させることができる。
【特許文献１】国際公報  WO01/45255号公報
【発明の開示】
【発明が解決しようとする課題】
【０００６】
弾性表面波素子の基体は弾性表面波が励起可能であり、励起された弾性表面波を伝搬させることが可能な材料、具体的には水晶、ニオブ酸リチウム、タンタル酸リチウム、リチウムトリボレート、ビスマスシリコンオキサイドがある。
【０００７】
また、弾性表面波素子とは上記材料表面を弾性表面波が繰り返し周回する。環境差異検出装置をして動作させる場合、材料表面反応膜等を作製して伝搬する弾性表面波の特徴、ここでの特徴は波をしての特徴であり、音速の伝搬速度、位相、励起される音速の中心周波数、位相を検出する。
【０００８】
しかしながら、前記に列挙した基体材料は、基体材料そのもの音速、励起される音速が温度変化を持つ。また、基体そのものも熱膨張をするため、広温度領域において使用可能な環境差異検出装置を提供するにあたり、基体材料の温度補正は必須である。
【０００９】
温度を測る方法として、一般的に熱電対、抵抗温度計、放射温度計等があるが、基体そのもの微小な温度を測定するには不向きである。
【００１０】
また、素子の駆動はインパルス、あるいは弾性表面波が基体を一周するより短い時間のバースト波で励起する。この際バースト波の周期精度を高めるには高価な信号発信器が必要となり、コストが高いものとなる。そこで入力信号を遅延させ、多重周回した弾性表面波と比較することにより安価なシステムを構築出来る。
【００１１】
この発明は、上記事情に鑑みてなされたものであって、弾性波素子、及び弾性波素子の検出能力の向上、動作安定性と、弾性波素子を用いた環境差異検出装置のシステムの軽量化を目的とする。
【課題を解決するための手段】
【００１２】
請求項１に係わる発明は、球表面を有する部分にすだれ状電極を設置し、すだれ状電極に時間的に変化する電場を印加することにより、前記球表面を有する基体内部にすだれ状電極を設けた球表面と対向する球表面との間で多重反射可能なバルク波を励起し、かつ受信可能な、球体の一部を有することを特徴とする弾性波素子である。
【００１３】
請求項２に係わる発明は、弾性表面波が伝搬可能な曲面が連続した少なくとも円環状の曲面の一部を含む表面を有する３次元基体が、すだれ状電極により弾性表面波が励起し、励起された弾性表面波が繰り返し多重周回する経路を持ち、前記経路以外の場所に請求項１に記載のすだれ状電極を設けた球表面と対向する球表面を持つことを特徴とする請求項１記載の弾性波素子である。
【００１４】
請求項３に係わる発明は、弾性表面波が伝搬可能な曲面が連続した少なくとも円環状の曲面の一部を含む表面を有する３次元基体が、すだれ状電極により弾性表面波が励起し、励起された弾性表面波が繰り返し多重周回する経路を持ち、１つのすだれ状電極で弾性表面波とバルク波を励起可能な請求項１に記載のすだれ状電極を設けた球表面と対向する球表面を持つことを特徴とする請求項１記載の弾性波素子である。
【００１５】
請求項４に係わる発明は、弾性表面波が伝搬可能な曲面が連続した少なくとも円環状の曲面の一部を含む表面を有する３次元基体において、すだれ状電極により弾性表面波が励起し、励起された弾性表面波が繰り返し多重周回する経路を持ち、少なくとも１つの平行な平坦部があり、平坦部にすだれ状電極を設置し、時間的に変化する電場を印加することにより、前記圧電材料基体内部をすだれ状電極と平行な反対面との間でバルク波を多重反射させることを特徴とする弾性波素子である。
【００１６】
請求項５に係わる発明は、前記３次元基体の前記表面が球の一部を有することを特徴とする請求項２〜４の何れかに記載の弾性波素子である。
【００１７】
請求項６に係わる発明は、前記弾性波素子の基材が水晶、リチウムトリボレート、ビスマスシリコンオキサイドからなることを特徴とする請求項１〜５の何れかの１に記載の弾性波素子である。
【００１８】
請求項７に係わる発明は、前記弾性波素子の基材がニオブ酸リチウム又はタンタル酸リチウムからかなり、バルク波がＺ軸方向からＸＹ平面に対し７５°までの範囲で励起することを特徴とする請求項１〜５の何れかの１に記載の弾性波素子である。
【００１９】
請求項８に係わる発明は、請求項１〜７のいずれか１項に記載の弾性波素子を用い、すだれ状電極により弾性表面波を励起し伝搬、多重周回させ、すだれ状電極にて弾性表面波からの出力信号を検出し、検出に至までの時間、励起信号を基体内部を伝搬し多重反射するバルク波を保存する遅延素子として使用し、前記表面弾性波信号とバルク波信号との比較を行うことを特徴とする環境差異検出装置である。
【００２０】
請求項９に係わる発明は、請求項１〜７のいずれか１項に記載の弾性波素子を用い、すだれ状電極により弾性表面波を励起し伝搬、多重周回させるとともに、伝搬する前記弾性表面波を受信し受信信号を出力し、前記出力信号より弾性表面波の伝搬する環境を差異を検出する際、素子の温度を基体内部を伝搬し多重反射するバルク波より検出することを特徴とする環境差異検出装置である。
【００２１】
請求項１０に係わる発明は、請求項１〜７のいずれか１項に記載の弾性波素子を複数用いての弾性表面波及びバルク波を励起するすだれ状電極の間隔を開けかつ重複することなく作製し、識別可能な素子群を形成し、各素子における表面弾性波の信号は環境差異を検出しバルク波の信号は温度を検出することを特徴とする複数の弾性波素子を用いたことを特徴とする環境差異検出装置である。
【発明の効果】
【００２２】
本発明は、弾性波素子表面の環境差異を検出する周回経路以外に、弾性波素子基体内部を伝搬するバルク波にて表面に依存しない経路を使用し、弾性波素子基体の温度計るという構成を有するので、装置として弾性波素子以外の温度計の設置が不要になると共に、さらに多重反射を利用しているのでより高精度な環境差異検出装置が提供出来る。
【００２３】
また、弾性波素子表面の環境差異を検出する周回経路以外に、弾性波素子基体内部を伝搬するバルク波にて表面に依存しない経路を使用し、バルク波にて弾性波に与えた入力波形を遅延させることにより、表面波の速度変化を検出するに使用する参照信号をバルク波にて保存することが出来る。このことにより、高価な安定した信号発生装置が不要となり低価格で安定した環境差異検出装置を提供出来る。
【００２４】
更に、弾性波素子表面の環境差異を検出する周回経路以外に、弾性波素子基体内部を伝搬するバルク波にて表面に依存しない経路を使用し、バルク波を発生させるすだれ状電極のピッチを変えることで、複数の環境差異検出素子の識別が可能になる。マルチ環境差異検出装置として提供する際、アドレッシング等が不要となり、より安価で信頼性の高い装置が提供出来る。
【発明を実施するための最良の形態】
【００２５】
［第１の実施の形態］
以下、この発明に従った弾性波素子の第１の実施の形態を添付の図面中の図１を参照しながら詳細に説明する。
【００２６】
尚、本明細書では、疑似弾性表面波や前記３次元基体の表面の直下にすだれ状電極により励起され伝搬されるたとえは回廊波も弾性表面波と称して記述している。さらに、たとえば弾性境界波の様に表面に異なる物質が接している３次元基体の前記表面に沿い伝搬する、通常は弾性表面波と称さないような弾性波であってもここでは弾性表面波と称して記述している。
【００２７】
図１には、第１の実施の形態の弾性波素子１０の外観が示されている。この弾性波素子１０は弾性波伝搬帯１２ｃ、および弾性波が反射可能な基質がある３次元基体１２と弾性波伝搬帯１２ｃに前記弾性波を励起し弾性波伝搬帯１２ｃに弾性波を励起させるととも伝搬する弾性波を受信可能なすだれ状電極１５を備えている。すだれ状電極の構造は図２に示すパターンが球面上に転写されたものである。
【００２８】
また、３次元基体の表面において、弾性表面波が伝搬する部分に何等かの膜を形成したり、或いは前記表面にすだれ状電極を何等かの膜を介して形成しても、そのような膜が弾性表面波の伝搬を実質的に阻害しなければそのような膜の存在は許容する。
【００２９】
尚、弾性波伝搬帯１２ｃは図面の簡略化のために球表面を伝搬するかのように描かれているが、実際は３次元球１２において内部を伝搬する。
【００３０】
本発明に係わる前述弾性波素子及び本発明に係わる前述の弾性波素子を使用した本発明に係わる環境差異検出装置においては、弾性表面波を伝搬させる表面を有し、かつバルク波を伝搬させる基体を有している３次元基体を、例えば、水晶、ニオブ酸リチウム、タンタル酸リチウム、リチウムトリボレート、ビスマスシリコンオキサイドの各結晶より形成する。ニオブ酸リチウムに関してはバルク波をＺ軸方向からＸＹ平面に対し７５°までの角度の範囲で励起する、さらに、Ｚ軸近傍だとバルク波をすだれ状電極にて容易に励起可能である。タンタルリチウムに関しては、バルク波Ｚ軸方向からＸＹ平面に対し７５°までの範囲で励起する、更にＺ軸から５°から３５°の範囲においてはバルク波をすだれ状電極にて容易に励起可能である。
【００３１】
この実施の形態において３次元基体１２は３方晶系のニオブ酸リチウム結晶により形成されている。図１に示すように前記すだれ状電極をニオブ酸リチウム球基体のＺ軸に形成し、すだれ状電極１５に半値幅２nsのインパルスを印加したところ、中心周波数２１０ＭＨｚで音速おおよそ７４００m/sの弾性波が励起、多重反射した。また、この際中心周波数が１００ＭＨｚ以上、２００Ｍｈｚ以下のバルク波も観察された。
【００３２】
この際使用した計測装置は図１中に示されている、インピーダンスマッチング回路２０a、サーキュレーター２０ｂ、高周波電源を含む発信器２０ｃ、アンプ２０ｄ、そしてディジタルオシロスコープ２０e等を備えている。尚、発信器２０cに代わり高周波受信アンテナを使用することもできる。
［第２の実施の形態］
図３には第２の実施の形態の弾性波素子１０の外観が示されている。この弾性波素子１０は弾性表面波が伝搬可能な曲面が連続した少なくとも円環状の曲面の一部によってなる伝搬帯１２aを含む表面を有する３次元基体１２と弾性波伝搬帯１２c、および弾性波が反射可能であり、前記弾性表面波を励起し伝搬表面帯１２aに沿い弾性表面波を励起するとともに伝搬表面帯１２aに伝搬する前記弾性表面波を受信可能なすだれ状電極１４と前記段弾性波を励起し弾性波伝搬帯１２ｃに弾性波を励起するとともに弾性波伝搬帯１２ｃに伝搬する前記弾性波を受信可能なすだれ状電極１５を持つ。
【００３３】
この実施の形態において３次元基体１２は３方晶系のニオブ酸リチウム結晶により形成されている。図３に示すように表面弾性波励起用の前記すだれ状電極１４をニオブ酸リチウム結晶のＺ軸からＸＹ平面方向に９０°の場所に、また弾性波励起用の前記すだれ状電極１５をニオブ酸リチウム球基体のＺ軸に形成し、それぞれに半値幅２nsのインパルスを印加したところ、音速３４００m/sの表面弾性波と音速７４００m/sのバルク波が観察された。
［第３の実施の形態］
図４には第３の実施の形態の弾性波素子１０の外観が示されている。この弾性波素子１０は弾性表面波が伝搬可能な曲面が連続した少なくとも円環状の曲面の一部によってなる伝搬帯１２aを含む表面を有する３次元基体１２と弾性波伝搬帯１２c、および弾性波が反射可能な基質を持ち、前記弾性表面波を励起し伝搬表面帯１２aに沿い弾性表面波を励起するとともに伝搬表面帯１２aに伝搬する前記弾性表面波を受信可能でかつ、前記弾性波を励起し弾性波伝搬帯１２ｃに弾性波を励起するとともに弾性波伝搬帯１２ｃに伝搬する前記弾性波を受信可能なすだれ状電極１６を持つ。
【００３４】
この実施の形態において３次元基体１２は３方晶系のニオブ酸リチウム結晶により形成されている。図４に示すように表面弾性波励起用の前記すだれ状電極１６をニオブ酸リチウム結晶のＺ軸からＸＹ平面方向に２０°に形成し半値幅２nsのインパルスを印加したところ、中心周波数２１０MHzで音速７４００m/sのバルク波と中心周波数６．９MHzで音速３４００m/sの表面弾性波が同時観測された。
［第４の実施の形態］
図５には第４の実施の形態の弾性波素子１０の外観が示されている。この弾性波素子１０は弾性表面波が伝搬可能な曲面が連続した少なくとも円環状の曲面の一部によってなる伝搬帯１２aを含む表面を有する３次元基体１２と弾性波伝搬帯１２c、および弾性波が平行な１対の平坦部を持つ反射可能な基質を持ち、前記弾性表面波を励起し伝搬表面帯１２aに沿い弾性表面波を励起するとともに伝搬表面帯１２aに伝搬する前記弾性表面波を受信可能なすだれ状電極１４と前記段弾性波を励起し弾性波伝搬帯１２ｃに弾性波を励起するとともに弾性波伝搬帯１２ｃに伝搬する前記弾性波を受信可能なすだれ状電極１５を持つ。
【００３５】
この実施の形態において３次元基体１２は３方晶系のニオブ酸リチウム結晶により形成されている。図３に示すように表面弾性波励起用の前記すだれ状電極１４をニオブ酸リチウム結晶のＺ軸からＸＹ平面方向に９０°の場所に、また弾性波励起用の前記すだれ状電極１５をニオブ酸リチウム球基体のＺ軸に形成し、それぞれに半値幅２nsのインパルスを印加したところ、中心周波数２１０MHz及び前記とは異なる中心周波数１００〜２００MHzで音速７４００m/sのバルク波と中心周波数６．９MHzで音速３４００m/sの表面弾性波が同時観測された。
［第３の変形例］
この発明に従った弾性波素子の第３の変形例について説明する。
【００３６】
この変形例では、３次元基体状の１種類のすだれ状電極にて、バルク波と表面弾性波両方を励起、伝搬、多重周回或いは多重反射、受信するもので、励起信号をバルク波で保存し、環境差異を計測する表面波信号と比較し測定の精度の向上を図るものである。この実施の形態において３次元基体１２は３方晶系のニオブ酸リチウム結晶を用いた。図４に示す装置でバルク波と表面波を同時に励起し、表面波が５０周回った場合において、弾性波とバルク波の波形比較を行った。これにより表面弾性波の環境による差をこれまで以上に正確に測定できるようになった。
［第２、第３の変形例１］
この発明に従った弾性波素子の第２、及び第３の変形例について説明する。
【００３７】
この変形例では３次元基体に２種類の異なるすだれ状電極より一方は表面弾性波、もう一方はバルク波を励起、伝搬、多重周回或いは多重反射、受信するもので。前記表面弾性波より環境差異を前記バルク波より素子温度を計測し、前記バルク波で計測した素子温度にて前記表面弾性波の音速をより正確なものとし環境の変化をより正確に高精度に検出した。この実施の形態において３次元基体１２は３方晶系のニオブ酸リチウム結晶を用いた。図３に示すよにニオブ酸リチウムのＺ軸にバルク波用すだれ状電極を、またＺ軸からＸＹ平面に９０°のところに表面弾性波用すだれ状電極を形成した。今回はあらかじめ温度変化の可能な環境下でニオブ酸リチウムＺ軸に設置したすだれ状電極にて体積熱膨張を考慮したバルク波の音速の温度変化を測定した、測定された温度変化は４６ppm/℃であった。この実験より、素子の温度を０．１℃以内で補正がかけれることになり、表面弾性波の精度を５ppm以内にすることが出来た。
［第２、第３の実施例２］
第５の実施の形態は複数の弾性波素子に関するものである。図３より、この複数の弾性波素子１０は弾性表面波が伝搬可能な曲面が連続した少なくとも円環状の曲面の一部によってなる伝搬帯１２aを含む表面を有する３次元基体１２と弾性波伝搬帯１２c、および弾性波が反射可能な基質を持ち、前記弾性表面波を励起し複数伝搬表面帯１２aに沿い弾性表面波を励起するとともに伝搬表面帯１２aに伝搬する前記弾性表面波を受信可能なすだれ状電極１４と前記段弾性波を励起し弾性波伝搬帯１２ｃに弾性波を励起するとともに弾性波伝搬帯１２ｃに伝搬する前記弾性波を受信可能なすだれ状電極１５を持つ。このバルク波のすだれ状電極の電極幅をかえることにより、複数の素子に固有なバルク波の周波数を付加することが出来る。この実施の形態において３次元基体１２は３方晶系のニオブ酸リチウム結晶により形成されている。弾性波励起用の前記すだれ状電極１５をニオブ酸リチウム球基体のＺ軸に形成し、電極幅を０．５３mmのもと０．６４mmのものとを準備した。２nsのインパルスを印可したことろ２１０ＭＨｚと１７０ＭＨｚのバルク波を確認した。双方の弾性波素子に同一の反応膜をつけ、環境差異検出装置をして動作させ平均を取ることにより、素子の性能の向上を計った。また、それぞれに素子に個別の反応膜をつけて、多チャンネル環境差異を検出する差異の素子識別にも持ちることができる。
【図面の簡単な説明】
【００３８】
【図１】本発明の第１の実施の形態に従った弾性波素子の説明図。
【図２】弾性波の励起、受信を行う為のすだれ状電極の説明図。
【図３】本発明の第２の実施の形態に従った弾性波素子を概略的に示す斜視図。
【図４】本発明の第３の実施の形態に従った弾性波素子を概略的に示す斜視図。
【図５】本発明の第４の実施の形態に従った弾性波素子を概略的に示す斜視図。
【符号の説明】
【００３９】
１０・・・弾性波素子
１２・・・３次元基体
１２a・・・伝搬表面帯
１２c・・・内部伝搬帯
１５・・・すだれ状電極
【図１】
2005150784.tif 000003
【図２】
2005150784.tif 000004
【図３】
2005150784.tif 000005
【図４】
2005150784.tif 000006
【図５】
2005150784.tif 000007